(57)【要約】【課題】高い気密性を得ることが容易であると共に、一度閉めた障子を再び開けるときの抵抗が小さい開口装置を提供する。【解決手段】枠体に沿って障子をスライドさせることで前記枠体の開口部を閉鎖または開放することができる開口装置での戸先框５０と当該戸先框に当接する枠体の内面１１との一方にパッキン５２を設けると共に、当該パッキンに当接する突出部１３を他方に設け、前記パッキンの形状を、自由端側の領域５２ｂにおける先端部５２ｃが固定端側に曲がった形状とし、かつ、開口部を閉鎖するときと開口部を開放するときとで、平面視上、同じ側の面５２ｓで当該パッキンを前記突出部の片面１３ａに当接させる。【選択図】    図６
2004316109.tif 000002
【特許請求の範囲】
【請求項１】
枠体に沿って障子をスライドさせることで前記枠体の開口部を閉鎖または開放することができ、前記開口部を閉鎖したときに、前記障子の戸先框と該戸先框が当接する枠体の内面とによって気密構造が形成される開口装置であって、
前記気密構造は、前記障子のスライド方向に突出した状態で前記戸先框または前記枠体の内面に形成されて前記戸先框の長手方向に延在する突出部と、平面視したときの一端側の領域が固定された状態で前記長手方向に延在し、前記開口部を閉鎖するときには自由端側の領域が前記突出部の片面に当接するパッキンとを含み、
前記パッキンは、前記自由端側の領域における先端部が前記一端側に曲がった形状を有し、該パッキンが、前記開口部を閉鎖するときと前記開口部を開放するときとで、平面視上、同じ側の面で前記突出部の片面に当接する開口装置。
【請求項２】
前記気密構造が、前記開口部を閉鎖するときに前記突出部と摺動して該突出部と前記パッキンとの相対位置を制御することができるガイド面を備えた振れ止め部材を更に含み、前記ガイド面がガイド方向の全長に亘って斜状面となっている請求項１に記載の開口装置。
【発明の詳細な説明】
【０００１】
【発明の属する技術分野】
本発明は、枠体に形成されたガイドに沿って障子をスライドさせることで前記枠体の開口部を閉鎖または開放することができる建具（以下、この建具を「開口装置」という。）に関する。
【０００２】
【従来の技術】
近年、建具には高い気密性、水密性、遮音性、断熱性等が求められるようになり、これらの要求を満たすために、多くの建具では建物に枠体を取り付け、この枠体に障子を取り付けた構造となっている。さらに、引き違い戸、片引き戸、上げ下げ窓等、枠体に形成されたガイドに沿って障子をスライドさせることで前記枠体の開口部を閉鎖または開放する開口装置では、前記開口部を閉鎖したとき（障子を閉めたとき）の気密性を高めるために、障子を閉めたときには戸先框と当該戸先框が当接する枠体の内面とによって気密構造が形成される。
【０００３】
図９は気密構造が形成される前、すなわち、障子が開いているときの戸先框と、当該戸先框が当接される枠体の内面とを概略的に示し、図１０は図９に示した戸先框を枠体の内面に当接させたとき、すなわち、障子を閉めたときの戸先框と枠体の内面とを概略的に示す。
【０００４】
図９および図１０に示すように、上記の気密構造を形成するためには、一般に、障子３１０の戸先框３１５にパッキン３２０と振れ止め部材３２５とが設けられ、障子３１０を閉めたときに戸先框３１５が当接する枠体の内面３４０には楯状のリブ３４５が設けられる。
【０００５】
パッキン３２０は、戸先框３１５の内側に形成された気密材ホール３１６に一端側の領域が固定され、自由端側に３枚のフィン３２０ａ、３２０ｂ、３２０ｃを有する部材である。振れ止め部材３２５は、パッキン３２０とリブ３４５との相対位置を制御するためのガイド面３２６を有する部材であり、ガイド面３２６には、室外側に湾出した湾曲部３２６ａと、図９および図１０中に矢印Ａで示す障子３１０のスライド方向に平行な平坦部３２６ｂとが形成されている。リブ３４５は、枠体の内面３４０から障子３１０のスライド方向に突出して形成されている。これらのパッキン３２０、振れ止め部材３２５、およびリブ３４５は、いずれも、戸先框３１５の長手方向に延在している。なお、湾曲部３２６ａに代えて、平面視したときに平坦部３２６ｂに向かって斜行する平面が形成されることもある。
【０００６】
障子３１０を閉めるときには、先ず、湾曲部３２６ａとリブ３４５とが当接し、障子３１０を閉めるに従って振れ止め部材３２５でのリブ３４５の当接位置が平坦部３２６ｂ側に移行する。したがって、パッキン３２０がリブ３４５側に漸次引き寄せられ、３枚のフィン３２０ａ、３２０ｂ、３２０ｃそれぞれの先端部が、順次、見付け方向内側に湾曲した状態でリブ３４５の片面（室外側の面）３４５ａに当接する。最終的には、リブ３４５と平坦部３２６ｂとが当接するまで障子３１０が枠体の内面３４０側にスライドされ、図１０に示すように、パッキン３２０、振れ止め部材３２５、およびリブ３４５によって気密構造３５０が形成される。
【０００７】
なお、図９および図１０に示した戸先框３１５は、アルミニウム等の金属材料によって形成された框本体３１５ａと、框本体３１５ａの片面（室内側の面）に取り付けられた樹脂製カバー３１５ｂとを有する複合框である。各図中の参照符号３３０は障子３１０に嵌め込まれたガラスパネルを示しており、参照符号３３５はガラスパネル３３０と戸先框３１５との間に配置されたビードを示している。
【０００８】
【発明が解決しようとする課題】
上述したパッキン３２０を有する従来の開口装置では、障子３１０を閉めたときに高い気密性を得ることができるが、一度閉めた障子３１０を再び開けるときに比較的大きな抵抗が生じ、開けにくい。
【０００９】
そこで、本発明は、高い気密性を得ることが容易であると共に、一度閉めた障子を再び開けるときの抵抗が小さい開口装置を提供することを課題とする。
【００１０】
【課題を解決するための手段】
本件発明者は、閉めた障子３１０を再び開けるときに従来生じていた比較的大きな抵抗の原因について鋭意検討した結果、上記の抵抗がパッキン３２０における自由端側の領域（図９に示したフィン３２０ａ、３２０ｂ、３２０ｃそれぞれでの先端側の領域）の変形に起因することを見出し、本発明を完成するに至った。
【００１１】
すなわち、障子３１０を完全に閉めた状態では、図１０に示したようにフィン３２０ａ〜３２０ｃそれぞれの先端部が障子３１０の見付け方向内側に屈曲した状態でリブ３４５の片面３４５ａに当接しており、障子３１０を再び開けるときには、図１１〜図１３に段階的に示すように、上記先端部が徐々に変形して障子３１０の見付け方向外側に屈曲した状態となる。そして、この変形によって上記の抵抗が生じることを見出し、本発明を完成するに至った。
【００１２】
以下、本発明について説明する。以下の説明では、本発明の理解を容易にするために添付図面中の参照符号を括弧書きで付記するが、それによって本発明が図示の形態に限定されるものではない。
【００１３】
本発明の一態様では、枠体（２０）に沿って障子（４０、６０、１４０）をスライドさせることで前記枠体の開口部（１８）を閉鎖または開放することができ、前記開口部を閉鎖したときに、前記障子の戸先框（５０、７０、１５０）と該戸先框が当接する枠体の内面（１１、１１１）とによって気密構造（９０、１９０）が形成される開口装置（１００、２００）であって、前記気密構造は、前記障子のスライド方向に突出した状態で前記戸先框または前記枠体の内面に形成されて前記戸先框の長手方向に延在する突出部（１３、１５１ａ）と、平面視したときの一端側の領域（５２ａ、１５２ａ）が固定された状態で前記長手方向に延在し、前記開口部を閉鎖するときには自由端側の領域（５２ｂ、１５２ｂ）が前記突出部の片面（１３ａ、１５１ａ）に当接するパッキン（５２、１５２）とを含み、前記パッキンは、前記自由端側の領域における先端部（５２ｃ、１５２ｃ）が前記一端側に曲がった形状を有し、該パッキンが、前記開口部を閉鎖するときと前記開口部を開放するときとで、平面視上、同じ側の面（５２ｓ、１５２ｓ）で前記突出部の片面に当接する開口装置を提供して、上記の課題を解決する。
【００１４】
この開口装置では、気密構造を形成するパッキンが上述の形状を有しており、かつ、当該パッキンが、開口部を閉鎖するときと開口部を開放するときとで、平面視上、同じ側の面で前記突出部の片面に当接する。すなわち、一度閉めた障子を再び開けるときには、パッキンにおける自由端側の領域に大きな変形が起きない。その結果として、障子を開けるときの抵抗が小さい。勿論、障子を閉めたときにはパッキンの自由端側の領域がリブの片面に当接するので、高い気密性を得ることが容易である。
【００１５】
なお、本発明でいう「パッキンの自由端側の領域の先端部」とは、パッキンにおける自由端側の領域のうち、上記突出部との当接箇所よりも先端側の領域を意味する。
【００１６】
障子を閉めたときの気密性を高め、かつ、障子を開けるときの抵抗を小さくするうえからは、上記の気密構造を形成するにあたって、前記開口部を閉鎖するときに前記リブと摺動して当該リブと前記パッキンとの相対位置を制御することができるガイド面（５３ａ）を備えた振れ止め部材（５３）を更に用い、この振れ止め部材での前記ガイド面をガイド方向の全長に亘って斜状面とすることが好ましい。
【００１７】
ここで、本明細書でいう「斜状面」とは、パッキンと、当該パッキンでの自由端側の領域が当接される突出部とを、障子を閉めるに従って密着させることができる曲面もしくは平面視上斜めに形成された平面を意味する。
【００１８】
【発明の実施の形態】
以下、本発明に係る実施形態について、図面を参照しつつ詳述する。
【００１９】
＜第１実施形態＞
図１（Ａ）は、本発明に係る第１実施形態の開口装置１００が閉められているときに当該開口装置１００を室内側から正面視したときの概略図であり、図１（Ｂ）は、図１（Ａ）に示した開口装置１００を開けたときの状態を室内側から正面視したときの概略図である。
【００２０】
これらの図に示すように、開口装置１００は、上枠１、下枠５、左縦枠１０、および右縦枠１５によって構成される枠体２０と、枠体２０の開口部１８を閉鎖または開放するために当該枠体２０に取り付けられた２枚の障子４０、６０とを備えている。障子４０が外障子（以下、「外障子４０」という。）であり、障子６０が内障子（以下、「内障子６０」という。）である。
【００２１】
外障子４０は、上框４１と、下框４５と、左縦枠１０側の縦框である戸先框５０と、内障子６０側の縦框である召外框５５と、これらの框に固定されたガラスパネル５８とを有している。同様に、内障子６０は、上框６１、下框６５、縦枠１５側の縦框である戸先框７０、外障子４０側の縦框である召内框７５、および、これらの框に固定されたガラスパネル７８を有している。外障子４０と内障子６０との召し合わせ部には、戸締まりのためのクレッセント８０が取り付けられている。
【００２２】
外障子４０および内障子６０はいずれも引き戸であり、開口部１８を閉鎖または開放する（以下、「障子を閉める」または「障子を開ける」という。）にあたって見付け方向へスライドされる。図１（Ａ）および図１（Ｂ）においては、前記の見付け方向を矢印Ａで示している。
【００２３】
図２は、開口装置１００を左縦枠１０側からみたときの枠体２０と外障子４０、内障子６０との関係を概略的に示す。なお、図２には左縦枠１０が現れていない。同図に示すように、上枠１は、第１上枠１Ａ、第２上枠１Ｂ、および第３上枠１Ｃを有し、この上枠１は、第１上枠１Ａと第２上枠１Ｂとを連結部材２によって互いに連結し、更に、第２上枠１Ｂと第３上枠１Ｃとを互いに嵌合させることによって形成されている。第１上枠１Ａの下面側には外障子４０用のガイド（ガイドレール）３ａが形成されており、第２上枠１Ｂと第３上枠１Ｃとの境界部には内障子６０用のガイド（ガイドレール）３ｂが形成されている。
【００２４】
一方、下枠５は、第１下枠５Ａおよび第２下枠５Ｂを有し、この下枠５は、第１下枠５Ａと第２下枠５Ｂとを連結部材６によって互いに連結させることによって形成されている。第１下枠５Ａの上面側には外障子４０用のガイド（ガイドレール）７ａが形成されており、第２下枠５Ｂの上面側には内障子６０用のガイド（ガイドレール）７ｂが形成されている。
【００２５】
外障子４０の上部には見付け方向に延在する第１溝４３が、また、下部には見付け方向に延在する第２溝４７が形成されており、第２溝４７内には例えば２個の戸車４８（図２においては、１個の戸車４８のみが描かれている。）が取り付けられている。同様に、内障子６０の上部には見付け方向に延在する第１溝６３が、また、下部には見付け方向に延在する第２溝６７が形成されており、第２溝６７内には例えば２個の戸車６８（図２においては、１個の戸車６８のみが描かれている。）が取り付けられている。
【００２６】
外障子４０は、第１溝４３内にガイド３ｂの下端が入り、戸車４８がガイド７ａに載るようにして枠体２０に取り付けられている。同様に、内障子６０は、第１溝６３内にガイド３ｂの下端が入り、戸車６８がガイド７ｂに載るようにして枠体２０に取り付けられている。
【００２７】
遮音性や気密性を高めるために、第１溝４３、６３それぞれには、必要に応じて、ガイド３ａまたはガイド３ｂに当接しつつ第１溝４３、６３の長手方向に延在するタイト材（図示せず。）を配置することができる。また、召外框５５（図１（Ａ）および図１（Ｂ）参照）には、外障子４０と内障子６０とを閉めたときに内障子６０の召内框７５の室外側の表面に当接するようにして、当該召外框５５の長手方向に延在するパッキン（図示せず。）を設けることができる。
【００２８】
断熱性および防露性を高めるために、外障子４０および内障子６０における各框は、召外框５５を除き、アルミニウム等の金属によって形成された框本体と、框本体の室内側表面を覆うようにして当該框本体に装着された樹脂製カバーとを有している。召外框５５は召内框７５と召し合うので、当該召外框５５には樹脂製カバーが装着されていない。図２においては、戸先框５０を構成している框本体を参照符号５１Ａで示し、当該框本体５１Ａに装着されている樹脂製カバーを参照符号５１Ｂで示している。また、召内框７５を構成している框本体を参照符号７６Ａで示し、当該框本体７６Ａに装着されている樹脂製カバーを参照符号７６Ｂで示している。
【００２９】
外障子４０を完全に閉めたときの戸先框５０と左縦枠１０（図１（Ａ）および図１（Ｂ）参照）との間の気密性を高めるために、戸先框５０にはパッキン５２と振れ止め部材５３とが設けられており、左縦枠１０の内面には楯状のリブが形成されている。図２には示されていないが、内障子６０を完全に閉めたときの戸先框７０と縦枠１５（図１（Ａ）および図１（Ｂ）参照）との間の気密性を高めるために、戸先框７０にもパッキンと振れ止め部材とが設けられており、右縦枠１５の内面には楯状のリブが形成されている。
【００３０】
上述した構造を有する開口装置１００は、外障子４０の戸先框５０および内障子６０の戸先框７０にそれぞれ設けられているパッキンの形状に最大の特徴を有している。以下、戸先框５０を例にとり、上記パッキンの形状について図３〜図６を参照しつつ詳述する。
【００３１】
図３は、外障子４０を開けているときの当該外障子４０と左縦枠１０とを概略的に示す水平断面図であり、断面を平面視したときの図である。同図に示すように、外障子４０を閉めたときに戸先框５０と当接する左縦枠１０の内面１１には、戸先框５０の長手方向に延在する楯状のリブ１３が形成されている。このリブ１３は、図３中に矢印Ａで示す外障子４０のスライド方向に突出している。
【００３２】
一方、戸先框５０には上記のパッキン５２および振れ止め部材５３が設けられている。これらのパッキン５２および振れ止め部材５３は、いずれも、戸先框５０の長手方向に延在している。
【００３３】
パッキン５２を平面視したときの一端側の領域５２ａは、戸先框５０の内側面に形成されている気密材ホール５１Ｃに挿入されている。その結果として、パッキン５２は戸先框５０に固定されている。以下、領域５２ａを「固定端側の領域５２ａ」という。このパッキン５２の自由端側の領域５２ｂは、戸先框５０の内側に向かって斜めに延在しており、その先端部５２ｃは、室外側に向かって、かつ戸先框５０の内側に向かって、弧を描きながら反っている。自由端側の領域５２ｂは、固定端側の領域５２ａよりも肉厚が薄くなっており、固定端側の領域５２ａに比べて可撓性に富んでいる。固定端側の領域５２ａと自由端側の領域５２ｂとの境界の大まかな位置を、参照符号５２ｔで示す。
【００３４】
振れ止め部材５３は、戸先框５０に嵌合させることによって当該戸先框５０に固定されている。この振れ止め部材５３は、外障子４０を閉めるときにリブ１３と摺動して当該リブ１３とパッキン５２との相対位置を制御することができるガイド面５３ａを有しており、このガイド面５３ａは、そのガイド方向の全長に亘って、室外側に湾出した曲面になっている。当該ガイド面５３ａよりも室外側の領域５３ｂおよび室内側の領域５３ｃそれぞれの外表面は、見込み方向と平行な平坦面になっている。なお、図３中の参照符号５８は図１（Ａ）および図１（Ｂ）に示したガラスパネルを示し、参照符号５９はガラスパネル５８と戸先框５０との間に配置されたビードを示している。
【００３５】
図４〜図６は、それぞれ、外障子４０を閉めるときのリブ１３、パッキン５２、および振れ止め部材５３の相対的な位置関係を概略的に示す水平断面図であり、断面を平面視したときの図である。これらの図に示した部材は全て図３に示されているので、各部材には図３で用いた参照符号と同じ参照符号を付してある。
【００３６】
図４に示すように、外障子４０を閉めるときには、先ず、リブ１３の先端部とパッキン５２における自由端側の領域５２ａの片面５２ｓとが当接する。次いで、外障子４０が更に左縦枠１０側にスライドされて、図５に示すように、リブ１３の先端部と振れ止め部材５３のガイド面５３ａとが当接する。このとき、パッキン５２における自由端側の領域５２ｂの先端部５２ｃは、室外側に若干押し潰される。
【００３７】
この後、リブ１３の先端が振れ止め部材５３における上記の領域５３ｂに突き当たるまで外障子４０が更に左縦枠１０側にスライドされて、外障子４０が完全に閉まる。リブ１３の先端部がガイド面５３ａに当接してから当該リブ１３の先端が領域５３ｂに突き当たるまでの間、振れ止め部材５３でのリブ１３との当接箇所は、ガイド面５３ａの湾曲形状に沿って領域５３ｂ側に漸次移行する。したがって、外障子４０自体が室内側に漸次スライドし、パッキン５２がリブ１３側に漸次引き寄せられる。
【００３８】
その結果として、パッキン５２における自由端側の領域５２ｂ（片面５２ｓ）とリブ１３における室外側の面１３ａとの密着性が高まり、高い気密性、水密性が得られる。少なくとも外障子４０を完全に閉めた状態下では、図６に示すように、リブ１３、パッキン５２、および振れ止め部材５３によって、気密構造９０が形成される。
【００３９】
一度閉めた外障子４０を再び開けるときには、図６に示した状態から図５、図４、図３に示した状態に順次移行する。その際、パッキン５２においてリブ１３の片面１３ａと当接する面は、上述した自由端側の領域５２ｂの片面５２ｓのみである。すなわち、障子４０を閉めるときと開けるときとで、パッキン５２は同じ側の面（片面５２ｓ）でのみ、リブ１３に当接する。
【００４０】
別の見方をすれば、パッキン５２における自由端側の領域５２ｂとリブ１３との当接箇所８５を通る法線Ｌ１（図４参照）または垂線Ｌ２（図５および図６参照）を基準にした前記先端部５２ｃの相対的な位置は、見付け方向外側および見付け方向内側のいずれか同じ側（図示の例では見付け方向内側）にあり、この相対的な位置は、法線または垂線を基準にして見付け方向外側および見付け方向内側のどちらにあるかという点で、外障子４０を閉める際の相対的な位置と同じである。
【００４１】
さらに別の見方をすれば、パッキン５２における固定端側の領域５２ａと自由端側の領域５２ｂとの境界５２ｔを通り、かつ、障子４０の見込み方向に延在する直線（図示せず。）を基準にした前記先端部５２ｃの相対的な位置は、見付け方向外側および見付け方向内側のいずれか同じ側（図示の例では見付け方向内側）にあり、この相対的な位置は、前記の直線を基準にして見付け方向外側および見付け方向内側のどちらにあるかという点で、外障子４０を閉める際の相対的な位置と同じである。
【００４２】
すなわち、外障子４０では、当該外障子４０を開けるときおよび閉めるときのいずれのときでも、図１０〜図１３に示した従来の気密構造１５０とは異なり、パッキン５２における自由端側の領域５２ｂおよび先端部５２ｃに大きな変形が起きない。
【００４３】
その結果として、開口装置１００では、一度閉めた外障子４０を再び開けるときの抵抗が小さい。また、振れ止め部材５３のガイド面５３ａに図９に示したような平坦部１２６ｂが形成されていないことから、リブ１３とガイド面５３ａとの当接は実質的に線接触である。この点からも、一度閉めた外障子４０を再び開けるときの抵抗が小さい。
【００４４】
なお、図示してはいないが、本実施形態の開口装置１００では、内障子６０を閉めたときにおいても、右縦枠１５と内障子６０の戸先框７０とによって、図６に示した気密構造９０と同様の気密構造が形成される。この気密構造では、パッキン５２が相対的に室内側に配置され、振れ止め部材５３が相対的に室外側に配置される。
【００４５】
したがって、開口装置１００では、外障子４０および内障子６０のいずれを閉めたときでも高い気密性を得ることができると共に、一度閉めた外障子４０または内障子６０を再び開けるときの抵抗が小さい。
【００４６】
＜第２実施形態＞
図７は、本発明に係る第２実施形態の開口装置２００での外障子１４０と左縦枠１１０とを概略的に示す水平断面図であり、断面を平面視したときの図である。図示の開口装置２００は、（１）パッキン１５２および振れ止め部材１５３が左縦枠１１０に設けられている点、ならびに、（２）気密構造１９０を構成する部材として、楯状のリブに代えて戸先框１５０に形成された突出部１５１ｐが利用されている点で、第１実施形態の開口装置１００と異なる。突出部１５１ｐは、框本体１５１Ａの一部である。
【００４７】
他の構成は第１実施形態の開口装置１００と同様であるので、図７に示した構成部材のうちで図３に示した構成部材と機能上共通するものについては、図３で用いた参照符号の数値部分に１００を加えた参照符号を付してその説明を省略する。図７中の参照符号１１２ａは、パッキン１５２を固定するために左縦枠１１０に形成された第１リブを示し、参照符号１１２ｂは、振れ止め部材１５３を固定するために左縦枠１１０に形成された第２リブを示している。
【００４８】
図示の開口装置２００においては、外障子１４０を閉めたときに、パッキン１５２における自由端側の領域１５ｂでの片面１５２ｓと框本体１５１Ａの室内側表面１５１ａとが当接し、かつ、戸先框１５０（框本体１５１Ａ）の見込み面と振れ止め部材１５３における室内側の領域１５３ｂの外表面とが当接して、気密構造１９０が形成される。
【００４９】
この開口装置２００においても、第１実施形態の開口装置１００と同様の理由から、高い気密性を得ることが容易であると共に、一度閉めた外障子１４０を再び開けるときの抵抗が小さい。
【００５０】
上述した第１実施形態の開口装置１００および第２実施形態の開口装置２００は、いずれも、外障子と内障子とを有する引き違い戸であるが、本発明の開口装置は片引き戸や上げ下げ窓等であってもよい。
【００５１】
また、障子を閉めたときに形成される気密構造は、最低限、枠体の内面または戸先框に設けられたパッキンと、当該パッキンの自由端側の領域の先端部が当接する突出部とを有していればよい。前記の突出部は、第１実施形態の開口装置１００でのリブ１３や、第２実施形態の開口装置２００での戸先框１５０（框本体１５１Ａに形成された突出部１５１ｐ）のように、障子のスライド方向に突出して形成されて戸先框の長手方向に延在していることが好ましい。この突出部をリブによって形成する場合、当該リブは、戸先框１５０に形成することも可能である。
【００５２】
上記のパッキンにおける自由端側の領域は、先端部が固定端側に曲がっていれば、平面視上、見込み方向に延在していてもよい。一度閉めた障子を再び開けるときの抵抗をできるだけ小さくするうえから、パッキンにおける自由端側の領域は、例えば図３〜図７に示したように、平面視上、突出部（リブ１３や、戸先框１５０の框本体１５１Ａに形成された突出部１５１ｐ等。）の片面での垂線の方向から傾けるか、または、図８（Ａ）に示すパッキン２５２での自由端側の領域２５２ｂのように、平面視上、固定端側の領域２５２ａから先端部２５２ｃにかけて湾曲させることが好ましい。
【００５３】
図８（Ａ）に示したパッキン２５２のように、固定端側の領域２５２ａから見込み方向突出するようにしてフィン２５２ｅを設け、かつ、障子を閉めたときに自由端側の領域２５２ｂの先端部２５２ｃが図８（Ｂ）に示すようにフィン２５２ｅの先端部と当接するように設計することにより、パッキン２５２による気密性を更に高めることが可能である。なお、図８（Ａ）および図８（Ｂ）中の参照符号２５２ｔは、固定端側の領域２５２ａと自由端側の領域２５２ｂとの境界の大まかな位置を示している。
【００５４】
気密構造を形成するためのパッキンの材料としては種々の有機材料を用いることができるが、一度閉めた障子を再び開けるときの抵抗をできるだけ小さくするうえからは、摺動性の高い材料が好ましい。
【００５５】
気密構造を形成するための振れ止め部材におけるガイド面の形状は、パッキンと、当該パッキンでの自由端側の領域の先端部が当接される突出部（リブ１３や、戸先框１５０の框本体１５１Ａに形成された突出部１５１ｐ等）とを、障子を閉めるに従って密着させることができる形状であることが好ましい。当該ガイド面は、例えば、図９に示した振れ止め部材１２５のガイド面１２６のように湾曲部１２６ａと平坦部１２６ｂとを有する形状とすることもできるが、一度閉めた障子を再び開けるときの抵抗をできるだけ小さくするうえからは、当該ガイド面をガイド方向の全長に亘って斜状面とすることが好ましい。
【００５６】
気密構造を形成するにあたってパッキンと振れ止め部材とを併用する場合、パッキンおよび振れ止め部材のいずれを室外側に配置するかは適宜選択可能であるが、外障子については振れ止め部材によって当該外障子が室内側に引き寄せられ、内障子については振れ止め部材によって当該内障子が室外側に引き寄せられるようにすることが好ましい。なお、気密構造を形成するにあたっては、振れ止め部材を省略することも可能である。ただし、高い気密性や高い水密性を有する開口装置を得るうえからは、振れ止め部材を設けることが好ましい。
【００５７】
以上、現時点において最も実践的であり、かつ、好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う開口装置もまた、本発明の技術的範囲に包含されるものとして理解されなければならない。
【００５８】
【発明の効果】
以上説明したように、請求項１に記載の発明によれば、障子をスライドさせて枠体の開口部を閉鎖するときでも開放するときでも、戸先框と当該戸先框に当接される枠体の内面とによって形成される気密構造中のパッキンに大きな変形が起こらない。したがって、上記開口部を閉鎖したときには高い気密性を得ることが容易であると共に、上記開口部を一旦閉鎖した後に再び開放するときの障子の抵抗を小さくすることができる。
【００５９】
また、請求項２に記載の発明によれば、上記気密構造を形成するために用いられる振れ止め部材でのガイド面、すなわち、上記開口部を閉鎖するときに前記リブと摺動して当該リブと前記パッキンとの相対位置を制御することができるガイド面が、ガイド方向の全長に亘って斜状面となっているので、当該ガイド面と前記リブとの当接が線接触になる。その結果として、上記開口部を一旦閉鎖した後に再び開放するときの障子の抵抗を更に小さくすることができる。
【図面の簡単な説明】
【図１】図１（Ａ）は、本発明に係る第１実施形態の開口装置が閉められているときに当該開口装置を室内側から正面視したときの概略図であり、図１（Ｂ）は、図１（Ａ）に示した開口装置を開けたときの状態を室内側から正面視したときの概略図である。
【図２】図１（Ａ）および図１（Ｂ）に示した開口装置を左縦枠側からみたときの枠体と外障子、内障子との関係を示す概略図である。
【図３】図１（Ａ）および図１（Ｂ）に示した開口装置の外障子を開けているときの当該外障子と左縦枠とを概略的に示す水平断面図であり、断面を平面視したときの図である。
【図４】図３に示した外障子を閉めるときの外障子と左縦枠とを概略的に示す水平断面図であり、断面を平面視したときの図である。
【図５】図３に示した外障子を図４に示した状態から更に閉めたときの外障子と左縦枠とを概略的に示す水平断面図であり、断面を平面視したときの図である。
【図６】図３に示した外障子を完全に閉めたときの外障子と左縦枠とを概略的に示す水平断面図であり、断面を平面視したときの図である。
【図７】本発明に係る第２実施形態の開口装置での外障子を閉めているときの当該外障子と左縦枠とを概略的に示す水平断面図であり、断面を平面視したときの図である。
【図８】本発明の開口装置において気密構造を構成するパッキンの一変形例を概略的に示す水平断面図である。
【図９】従来の開口装置において障子が開いているときの戸先框と当該戸先框が当接される枠体の内面とを概略的に示す水平断面図であり、断面を平面視したときの図である。
【図１０】図９に示した開口装置の障子を完全に閉めたときの戸先框と当該戸先框が当接された枠体の内面とを概略的に示す水平断面図であり、断面を平面視したときの図である。
【図１１】図９に示した開口装置の障子を図１０に示した状態から若干開けたときの戸先框と当該戸先框が当接されている枠体の内面とを概略的に示す水平断面図であり、断面を平面視したときの図である。
【図１２】図９に示した開口装置の障子を図１１に示した状態から更に開けたときの戸先框と当該戸先框が当接されている枠体の内面とを概略的に示す水平断面図であり、断面を平面視したときの図である。
【図１３】図９に示した開口装置の障子を図１２に示した状態から更に開けたときの戸先框と当該戸先框が当接されている枠体の内面とを概略的に示す水平断面図であり、断面を平面視したときの図である。
【符号の説明】
１１、１１１  左縦枠の内面
１３  突出部（楯状のリブ）
１３ａ  突出部（楯状のリブ）の片面
１８  枠体の開口部
２０  枠体
４０、１４０  外障子
５２、１５２、２５２  パッキン
５２ａ、１５２ａ、２５２ａ  パッキンにおける固定端側の領域
５２ｂ、１５２ｂ、２５２ｂ  パッキンにおける自由端側の領域
５２ｃ、１５２ｃ、２５２ｃ  パッキンにおける自由端側の領域の先端部
５２ｓ、１５２ｓ  突出部と当接する片面
５３、１５２  振れ止め部材
５３ａ、１５３ａ  ガイド面
６０  内障子
９０、１９０  気密構造
１００、２００  開口装置
１５１ｐ  戸先框に形成された突出部
１５１ａ  戸先框に形成された突出部の片面
【図１】
2004316109.tif 000003
【図２】
2004316109.tif 000004
【図３】
2004316109.tif 000005
【図４】
2004316109.tif 000006
【図５】
2004316109.tif 000007
【図６】
2004316109.tif 000008
【図７】
2004316109.tif 000009
【図８】
2004316109.tif 000010
【図９】
2004316109.tif 000011
【図１０】
2004316109.tif 000012
【図１１】
2004316109.tif 000013
【図１２】
2004316109.tif 000014
【図１３】
2004316109.tif 000015